(57)【要約】【課題】全曲試聴や全曲再生の際に、ユーザに対して、楽曲の再生に同期して、当該楽曲の部分ごとに、その部分に対するレビューを呈示することができ、ユーザが、当該楽曲の特徴や、当該楽曲と他の楽曲との間の類似点や相違点などを、当該楽曲の細部に渡って詳細に、聴覚と視覚の両方で同時に実感できるようにする。【解決手段】音楽再生装置での楽曲再生時、ＣＰＵは、当該楽曲の一部分の当該楽曲中におけるタイミング位置を示す部分タイミング位置情報と当該部分に対するコメントを示すコメント情報とからなる部分メタ情報を当該楽曲の異なる部分につき複数有する時系列メタ情報を取得参照して、当該楽曲の再生に同期して、ディスプレイ３７上にそれぞれのコメント情報で示されるコメントを表示する。【選択図】図５
2008004134.tif 000002
【特許請求の範囲】
【請求項１】
音楽再生装置における音楽再生方法であって、
楽曲再生時、当該楽曲の一部分の当該楽曲中におけるタイミング位置を示す部分タイミング位置情報と当該部分に対するコメントを示すコメント情報とからなる部分メタ情報を当該楽曲の異なる部分につき複数有する時系列メタ情報を取得参照して、当該楽曲の再生に同期して、ディスプレイ上に前記それぞれのコメント情報で示されるコメントを表示することを特徴とする音楽再生方法。
【請求項２】
請求項１の音楽再生方法において、
当該楽曲の楽曲データおよび前記時系列メタ情報は、ネットワークを介して接続した配信サーバから取得することを特徴とする音楽再生方法。
【請求項３】
請求項１の音楽再生方法において、
当該楽曲の楽曲データおよび前記時系列メタ情報は、当該音楽再生装置が備える、または当該音楽再生装置に装着または接続される記憶装置部に記録されていることを特徴とする音楽再生方法。
【請求項４】
請求項１の音楽再生方法において、
当該楽曲の楽曲データおよび前記時系列メタ情報のうちの一方は、当該音楽再生装置が備える、または当該音楽再生装置に装着または接続される記憶装置部に記録されており、他方は、ネットワークを介して接続した配信サーバから取得することを特徴とする音楽再生方法。
【請求項５】
請求項１の音楽再生方法において、
楽曲再生時、ユーザによる、当該楽曲の一部分を指示し、その部分に対するコメントを入力する操作があったときには、その部分の当該楽曲中におけるタイミング位置を示す部分タイミング位置情報と、その部分に対するコメントを示すコメント情報とからなるユーザ部分メタ情報を生成することを特徴とする音楽再生方法。
【請求項６】
請求項５の音楽再生方法において、
ネットワークを介して情報収集元のサーバに接続して、当該サーバに前記ユーザ部分メタ情報を送信することを特徴とする音楽再生方法。
【請求項７】
楽曲データによって楽曲を再生する再生手段と、
この再生手段による楽曲再生時、当該楽曲の一部分の当該楽曲中におけるタイミング位置を示す部分タイミング位置情報と当該部分に対するコメントを示すコメント情報とからなる部分メタ情報を当該楽曲の異なる部分につき複数有する時系列メタ情報を取得参照して、当該楽曲の再生に同期して、ディスプレイ上に前記それぞれのコメント情報で示されるコメントを表示する制御手段と、
を備えることを特徴とする音楽再生装置。
【請求項８】
請求項７の音楽再生装置において、
ネットワークを介して配信サーバに接続して、当該サーバから当該楽曲の楽曲データまたは前記時系列メタ情報を取得する手段を備えることを特徴とする音楽再生装置。
【請求項９】
請求項７の音楽再生装置において、
前記再生手段による楽曲再生時、ユーザが当該楽曲の一部分を指示し、その部分に対するコメントを入力するための指示入力手段を備え、
前記制御手段は、前記指示入力手段によって、当該楽曲の一部分が指示され、その部分に対するコメントが入力されたときには、その部分の当該楽曲中におけるタイミング位置を示す部分タイミング位置情報と、その部分に対するコメントを示すコメント情報とからなるユーザ部分メタ情報を生成することを特徴とする音楽再生装置。
【請求項１０】
請求項９の音楽再生装置において、
ネットワークを介して情報収集元のサーバに接続して、当該サーバに前記ユーザ部分メタ情報を送信する手段を備えることを特徴とする音楽再生装置。
【請求項１１】
楽曲再生時に当該楽曲の異なる部分に対するコメントを呈示するためにコンピュータを、
楽曲再生時、当該楽曲の一部分の当該楽曲中におけるタイミング位置を示す部分タイミング位置情報と当該部分に対するコメントを示すコメント情報とからなる部分メタ情報を当該楽曲の異なる部分につき複数有する時系列メタ情報を取得参照して、当該楽曲の再生に同期して、ディスプレイ上に前記それぞれのコメント情報で示されるコメントを表示する手段、
として機能させるためのプログラム。
【発明の詳細な説明】
【技術分野】
【０００１】
この発明は、音楽再生方法および音楽再生装置に関する。
【背景技術】
【０００２】
オンラインショップなどでは、音楽を試聴し、購入する者に対して、「（この曲は）サビの部分がよい」「（この曲は）イントロにギターが入っている」「（この曲は）最後の部分が特にお勧め」などのレビューが紹介されて、楽曲が推薦されている。
【０００３】
楽曲の推薦方法としては、上記の方法以外に、ユーザ間で楽曲を推薦する方法として、例えば、特許文献１（特開２００４−５４０２３号公報）には、各ユーザが、それぞれの携帯端末に、それぞれが推薦する楽曲のリストを所持し、各端末間で、その推薦楽曲リストを交換し、あるユーザの携帯端末では、他のユーザの推薦楽曲リストをまとめた収集楽曲リストを生成して、楽曲を推薦するユーザの数によって楽曲を選択する方法が示されている。
【０００４】
また、楽曲のレビューや推薦とは別の、カラオケ用などに楽曲の歌詞や楽譜を取得し表示する方法として、特許文献２（特開２００５−７０４７２号公報）には、歌詞情報を備えていないＣＤ（Ｃｏｍｐａｃｔ  Ｄｉｓｃ）によって楽曲を再生する場合に、ＣＤのＴＯＣ（Ｔａｂｌｅ  Ｏｆ  Ｃｏｎｔｅｎｔｓ）情報をもとに、インターネットを介してデータベースサーバから歌詞情報を受信して、楽曲の再生状況に応じて当該楽曲の歌詞を表示することが示され、特許文献３（特開平８−１０２９０２号公報）には、第１のメディアから背景映像信号を再生するとともに、第２のメディアから音楽信号および歌詞や楽譜の情報を再生し、モニタ上に背景映像に重ねて歌詞や楽譜を表示することが示されている。
【０００５】
上に挙げた先行技術文献は、以下の通りである。
【特許文献１】特開２００４−５４０２３号公報
【特許文献２】特開２００５−７０４７２号公報
【特許文献３】特開平８−１０２９０２号公報
【発明の開示】
【発明が解決しようとする課題】
【０００６】
しかしながら、オンラインショップなどで紹介されているレビューは、上述したように１つの楽曲全体に対する評価として「（この曲は）サビの部分がよい」「（この曲は）最後の部分が特にお勧め」などとする抽象的なものであり、かつ当該楽曲の再生と直接関係なく言葉だけで示されるものであるため、ユーザが当該楽曲を購入する際などの判断材料としては必ずしも十分でないとともに、最近行われているストリーミング再生による全曲試聴や、楽曲購入後の全曲再生の際に、ユーザに対して、楽曲の再生に同期して、当該楽曲の部分ごとに、その部分に対する評価を示すようなことはできない。
【０００７】
特許文献１に示された方法も、推薦楽曲リストの交換によって、ユーザ間で楽曲を推薦することができるだけであって、全曲試聴や全曲再生の際に、ユーザに対して、楽曲の再生に同期して、当該楽曲の部分ごとに、その部分に対するレビューを呈示することはできない。
【０００８】
そこで、この発明は、全曲試聴や全曲再生の際に、ユーザに対して、楽曲の再生に同期して、当該楽曲の部分ごとに、その部分に対するレビューを呈示することができ、ユーザが、当該楽曲の特徴や、当該楽曲と他の楽曲との間の類似点や相違点などを、当該楽曲の細部に渡って詳細に、聴覚と視覚の両方で同時に実感することができるようにしたものである。
【課題を解決するための手段】
【０００９】
この発明の音楽再生方法は、
音楽再生装置における音楽再生方法であって、
楽曲再生時、当該楽曲の一部分の当該楽曲中におけるタイミング位置を示す部分タイミング位置情報と当該部分に対するコメントを示すコメント情報とからなる部分メタ情報を当該楽曲の異なる部分につき複数有する時系列メタ情報を取得参照して、当該楽曲の再生に同期して、ディスプレイ上に前記それぞれのコメント情報で示されるコメントを表示することを特徴とする。
【００１０】
上記の音楽再生方法では、例えば、当該楽曲の時系列メタ情報が３つの部分メタ情報からなる場合、１番目の部分タイミング位置情報で示される楽曲部分が再生される期間で、ディスプレイ上に、１番目のコメント情報によって「歌い出しがよい」というようなコメントが表示され、２番目の部分タイミング位置情報で示される楽曲部分が再生される期間で、ディスプレイ上に、２番目のコメント情報によって「サビが○○に似ている」というようなコメントが表示され、３番目の部分タイミング位置情報で示される楽曲部分が再生される期間で、ディスプレイ上に、３番目のコメント情報によって「エンディングで急に転調する」というようなコメントが表示される。
【発明の効果】
【００１１】
以上のように、この発明によれば、全曲試聴や全曲再生の際に、ユーザに対して、楽曲の再生に同期して、当該楽曲の部分ごとに、その部分に対するレビューを呈示することができ、ユーザは、当該楽曲の特徴や、当該楽曲と他の楽曲との間の類似点や相違点などを、当該楽曲の細部に渡って詳細に、聴覚と視覚の両方で同時に実感することができる。
【発明を実施するための最良の形態】
【００１２】
［１．システム構成：図１］
図１は、この発明の音楽再生装置の一例を含む、この発明の音楽再生システムの一例を示す。
【００１３】
この例の音楽再生装置１０は、ＣＰＵ１１を備え、そのバス１９には、後述の楽曲再生およびコメント表示のためのプログラムを含む各種のプログラムやデータが書き込まれるＲＯＭ１３、およびプログラムやデータが展開されるＲＡＭ１５が接続されて、制御部１７が構成される。
【００１４】
さらに、バス１９には、記憶装置部２１、キー操作部２３およびタッチパネル部２５が接続されるとともに、音声処理部３１を介して音声出力部３３が接続され、表示処理部３５を介してディスプレイ３７が接続される。
【００１５】
記憶装置部２１は、音楽再生装置１０に内蔵される半導体メモリやハードディスクなどの内部記憶装置、または音楽再生装置１０に装着または接続される光ディスクやメモリカードなどの外部記憶装置で、これには、楽曲データや時系列メタ情報などのデータが記録される。
【００１６】
キー操作部２３は、ユーザが音楽再生装置１０に指示を与え、文字などを入力するものであり、タッチパネル部２５は、ディスプレイ３７の画面上に設けられるタッチパネルと位置検出部とによって構成される。
【００１７】
音声処理部３１は、楽曲データなどの音声データを再生処理するものであり、音声出力部３３は、音声増幅回路およびこれに接続されるスピーカ（ヘッドホン）であり、表示処理部３５は、ディスプレイ３７上に表示される画像（画面）やコメント（テキスト）などのデータを表示処理するものであり、ディスプレイ３７は、液晶ディスプレイや有機ＥＬディスプレイなどである。
【００１８】
さらに、バス１９には、インターネット１００を介して配信サーバ２００に接続するための外部インタフェース４１が接続される。
【００１９】
配信サーバ２００は、この例では、音楽再生装置１０に楽曲データおよび時系列メタ情報を送信するとともに、情報収集元のサーバとして、音楽再生装置１０で生成され、音楽再生装置１０から送信されたユーザ部分メタ情報を受信する。
【００２０】
［２．音楽再生方法：図２〜図９］
（２−１．時系列メタ情報：図２）
時系列メタ情報は、原則的に、当該楽曲の一部分の当該楽曲中におけるタイミング位置を示す部分タイミング位置情報と当該部分に対するコメントを示すコメント情報とからなる部分メタ情報を、当該楽曲の異なる部分につき複数、有するものとする。
【００２１】
すなわち、再生時間長がごく短いなどの一部の楽曲については、例外的に、時系列メタ情報を１つの楽曲部分についての１つの部分メタ情報からなるものとすることもできるが、多くの楽曲については、時系列メタ情報を当該楽曲の異なる部分についての複数の部分メタ情報からなるものとする。
【００２２】
当該楽曲の同じ部分に対して、複数のコメントを付し、複数のコメント情報を有するようにしてもよい。
【００２３】
楽曲のある部分に対してコメントを付し、個々の部分メタ情報および全体の時系列メタ情報を生成するのは、楽曲を楽曲データとして、制作し、または音楽配信やＣＤなどによって販売する者であるが、楽曲の制作者または販売者は、ユーザの意見や感想を聴いて、コメントを付し、または追加することができる。
【００２４】
図２に、時系列メタ情報の一例を示す。この例は、同図（Ａ）に示すような、再生時間長が０５分３０秒３３の、ある楽曲Ｓａに対して、同図（Ｂ）に示すように、時系列メタ情報として、７つの部分メタ情報Ｍ１，Ｍ２，‥‥Ｍ７を有する場合である。
【００２５】
それぞれの部分メタ情報Ｍ１，Ｍ２，‥‥Ｍ７は、部分タイミング位置情報およびコメント情報からなり、それぞれの部分タイミング位置情報は、楽曲Ｓａにおける当該部分（当該期間）の開始位置（開始時点）および終了位置（終了時点）を示し、それぞれのコメント情報は、当該部分に対するコメントを示す。
【００２６】
具体的に、この例では、楽曲Ｓａの００分０２秒０３から００分１２秒３３までの部分Ｐ１に対しては、「歌い出しがよい」というコメントＣ１が付され、互いに開始位置および終了位置が異なるが、一部の期間が重なり合う４つの部分Ｐ２，Ｐ３，Ｐ４，Ｐ５に対しては、それぞれコメントＣ２，Ｃ３，Ｃ４，Ｃ５が付され、０５分２０秒１７から０５分３０秒３３までの部分Ｐ６に対しては、コメントＣ６が付され、０５分２２秒２６から０５分２９秒０３までの部分Ｐ７に対しては、コメントＣ７が付されている。
【００２７】
（２−２．楽曲再生に同期したコメント表示：図３〜図５）
この発明では、楽曲再生時、当該楽曲の上記のような時系列メタ情報を取得参照して、当該楽曲の再生に同期して、ディスプレイ上に、それぞれのコメント情報で示されるコメントを表示する。
【００２８】
図１の音楽再生装置１０での、再生する楽曲の楽曲データおよび時系列メタ情報の取得の態様としては、次の（ａ）〜（ｄ）のいずれでもよい。
【００２９】
（ａ）再生時、楽曲データおよび時系列メタ情報を配信サーバ２００から受信し取得する。
【００３０】
（ｂ）楽曲データおよび時系列メタ情報が、記憶装置部２１としてのＣＤやハードディスクなどに記録されていて、再生時、記憶装置部２１から読み出される。
【００３１】
（ｃ）楽曲データは、記憶装置部２１に記録されていて、再生時、記憶装置部２１から読み出されるが、時系列メタ情報は、再生時、配信サーバ２００から受信し取得する。
【００３２】
（ｄ）時系列メタ情報は、記憶装置部２１に記録されていて、再生時、記憶装置部２１から読み出されるが、楽曲データは、再生時、配信サーバ２００から受信し取得する。
【００３３】
上記（ａ）では、例えば、配信サーバ２００から楽曲データを全曲試聴用として受信して、楽曲をストリーミング再生する際に、配信サーバ２００から時系列メタ情報を受信して、コメントを表示することができる。
【００３４】
上記（ｂ）は、ユーザが楽曲データおよび時系列メタ情報を取得している場合であり、上記（ｃ）は、ユーザが楽曲データのみを取得している場合であり、上記（ｄ）は、時系列メタ情報のみが先にユーザに提供されている場合である。
【００３５】
いずれの場合も、例えば、音楽再生装置１０のＣＰＵ１１は、当該楽曲の再生開始に先立って、配信サーバ２００または記憶装置部２１から当該楽曲の時系列メタ情報を取得して、ＲＡＭ１５上に保持する。
【００３６】
さらに、ＣＰＵ１１は、楽曲再生時、図３に示すように、ディスプレイ３７上に再生状況表示画面９を表示し、再生位置表示用バー８上の再生位置マーカー７によって楽曲の再生位置を表示する。勿論、再生開始時点では、図３とは異なり、再生位置マーカー７は最も左側に位置する。
【００３７】
再生状況表示画面９上に、さらに、再生の停止、停止から再生への切り替え、早送り、早戻しなどの操作のためのボタン群６や、当該楽曲に関連する画像などを表示するようにしてもよい。
【００３８】
再生する楽曲が上記の楽曲Ｓａで、その時系列メタ情報が図２に示したものである場合につき、さらに楽曲再生およびコメント表示の態様を示すと、上記のようにＲＡＭ１５上に時系列メタ情報を保持し、ディスプレイ３７上に再生状況表示画面９を表示した状態で、ＣＰＵ１１は、ＲＡＭ１５上に保持されている時系列メタ情報を参照しながら、楽曲Ｓａの再生を開始し、再生位置マーカー７の移動を開始する。
【００３９】
そして、再生開始後、最初の部分メタ情報Ｍ１中の部分タイミング位置情報で示される、部分Ｐ１の開始位置に達したら、部分Ｐ１についてのコメント情報によって、図３に示すように、再生状況表示画面９中において、再生位置マーカー７に関連づけて、上記の「歌い出しがよい」というコメントＣ１を表示する。コメントＣ１は、部分Ｐ１の終了時点まで表示する。
【００４０】
次に、ＣＰＵ１１は、それぞれ部分メタ情報Ｍ２，Ｍ３，Ｍ４，Ｍ５中の部分タイミング位置情報で示される、それぞれ部分Ｐ２，Ｐ３，Ｐ４，Ｐ５の開始位置に達したら、それぞれ部分Ｐ２，Ｐ３，Ｐ４，Ｐ５についてのコメント情報によって、図４に示すように、再生状況表示画面９中において、それぞれ再生位置マーカー７に関連づけて、それぞれコメントＣ２，Ｃ３，Ｃ４，Ｃ５を表示する。コメントＣ２，Ｃ３，Ｃ４，Ｃ５も、それぞれ部分Ｐ２，Ｐ３，Ｐ４，Ｐ５の終了時点まで表示する。
【００４１】
次に、ＣＰＵ１１は、それぞれ部分メタ情報Ｍ６，Ｍ７中の部分タイミング位置情報で示される、それぞれ部分Ｐ６，Ｐ７の開始位置に達したら、それぞれ部分Ｐ６，Ｐ７についてのコメント情報によって、図５に示すように、再生状況表示画面９中において、それぞれ再生位置マーカー７に関連づけて、それぞれコメントＣ６，Ｃ７を表示する。コメントＣ６，Ｃ７も、それぞれ部分Ｐ６，Ｐ７の終了時点まで表示する。
【００４２】
以上の方法によって、ユーザは、楽曲を聴きながら、当該楽曲の部分ごとに、その部分に対するコメントを見て、当該楽曲の特徴や、当該楽曲と他の楽曲との間の類似点や相違点などを、当該楽曲の細部に渡って詳細に、聴覚と視覚の両方で同時に実感することができる。
【００４３】
（２−３．楽曲再生およびコメント表示の処理：図６および図７）
図６および図７に、音楽再生装置１０のＣＰＵ１１が実行する以上のような楽曲再生およびコメント表示に係る一連の処理の一例を示す。
【００４４】
この例は、上記（ａ）のように楽曲データおよび時系列メタ情報を配信サーバ２００から受信取得して、全曲試聴の場合のように楽曲をストリーミング再生する場合である。
【００４５】
この例では、ＣＰＵ１１は、音楽再生装置１０がインターネット１００を介して配信サーバ２００に接続された状態でユーザの指示により全体の処理を開始して、まずステップ５１で、配信サーバ２００に対して当該楽曲の時系列メタ情報および楽曲データの送信を要求する。
【００４６】
配信サーバ２００は、これに応答して、まず、当該楽曲の時系列メタ情報を音楽再生装置１０に送信し、音楽再生装置１０のＣＰＵ１１は、ステップ５２で、その時系列メタ情報を受信してＲＡＭ１５上に保持し、さらにステップ５３で、ディスプレイ３７上に上記の再生状況表示画面９を表示する。
【００４７】
次に、配信サーバ２００は、当該楽曲の楽曲データを音楽再生装置１０に送信し、音楽再生装置１０のＣＰＵ１１は、ステップ５４で、その楽曲データを受信して楽曲の再生を開始し、再生状況表示画面９上で再生位置マーカー７の移動を開始する。
【００４８】
次に、音楽再生装置１０のＣＰＵ１１は、当該楽曲の再生を継続しながら、ステップ５５で、コメント部分の開始位置または終了位置に達したか否かを判断し、開始位置または終了位置に達したときには、ステップ５６に進んで、開始位置に達したか、終了位置に達したか、を判断する。
【００４９】
そして、コメント部分の開始位置に達したときには、ステップ５６からステップ５７に進んで、当該コメント部分についてのコメント情報をＲＡＭ１５上のコメント表示リストに登録して、当該コメント部分に対するコメントを表示した上で、ステップ５５に戻る。
【００５０】
一方、コメント部分の終了位置に達したときには、ステップ５６からステップ５８に進んで、当該コメント部分についてのコメント情報をＲＡＭ１５上のコメント表示リストから削除して、当該コメント部分に対するコメントを消去し、さらにステップ５９に進む。
【００５１】
ステップ５９では、いまだ開始位置または終了位置に達していないコメント部分が存在するか否かを判断し、存在するときには、ステップ５５に戻り、存在しないときには、ステップ６１に進む。
【００５２】
ステップ６１では、当該楽曲の最後に達したか否かを判断し、当該楽曲の最後に達したときには、ステップ６２に進んで、終了処理を行った上で、当該楽曲についての楽曲再生およびコメント表示に係る一連の処理を終了する。
【００５３】
ステップ６２での終了処理は、再生状況表示画面９を消去し、必要に応じて当該楽曲の時系列メタ情報をＲＡＭ１５から消去するなどである。
【００５４】
再生する楽曲が上記の楽曲Ｓａで、その時系列メタ情報が図２に示したものである場合、ステップ５４での再生開始後、まず、ステップ５５，５６の後のステップ５７で、部分Ｐ１に対するコメントＣ１が表示され、次に、ステップ５５，５６に戻った後のステップ５８で、部分Ｐ１に対するコメントＣ１が消去される。
【００５５】
次に、ステップ５９からステップ５５，５６に戻った後のステップ５７で、部分Ｐ２に対するコメントＣ２が表示され、次に、それぞれステップ５５，５６に戻った後のステップ５７で、それぞれ部分Ｐ３，Ｐ４，Ｐ５に対するコメントＣ３，Ｃ４，Ｃ５が順次表示される。
【００５６】
次に、ステップ５５，５６に戻った後のステップ５８で、部分Ｐ２に対するコメントＣ２が消去され、次に、それぞれステップ５９からステップ５５，５６に戻った後のステップ５８で、それぞれ部分Ｐ３，Ｐ４，Ｐ５に対するコメントＣ３，Ｃ４，Ｃ５が順次消去される。
【００５７】
次に、ステップ５９からステップ５５，５６に戻った後のステップ５７で、部分Ｐ６に対するコメントＣ６が表示され、次に、ステップ５５，５６に戻った後のステップ５７で、部分Ｐ７に対するコメントＣ７が表示される。
【００５８】
次に、ステップ５５，５６に戻った後のステップ５８で、部分Ｐ７に対するコメントＣ７が消去され、次に、ステップ５９からステップ５５，５６に戻った後のステップ５８で、部分Ｐ６に対するコメントＣ６が消去され、次に、ステップ５９からステップ６１，６２に進んで、一連の処理を終了する。
【００５９】
（２−４．ユーザ部分メタ情報：図８および図９）
図１の例の音楽再生装置１０では、上記のように楽曲の再生に同期して当該楽曲の各部に対するコメントを表示できるだけでなく、楽曲再生時、ユーザが当該楽曲の一部分を指示し、その部分に対するコメントを入力することによって、その部分の当該楽曲中におけるタイミング位置を示す部分タイミング位置情報と、その部分に対するコメントを示すコメント情報とからなるユーザ部分メタ情報が生成される。
【００６０】
具体的に、楽曲再生時、例えば、図８に示すように、上記の再生状況表示画面９には、開始位置指定ボタン１ａおよび終了位置指定ボタン１ｂからなる部分指定ボタン１が表示される。
【００６１】
ユーザは、自身の評価や感想などをコメントとして入力したい楽曲部分が存在する場合には、その部分の開始時点で開始位置指定ボタン１ａを押し、その部分の終了時点で終了位置指定ボタン１ｂを押す。
【００６２】
開始位置指定ボタン１ａが押されると、図８に示すように、そのときの再生位置マーカー７の位置に入力マーカー２が表示され、終了位置指定ボタン１ｂが押されると、図９に示すように、再生位置表示用バー８中の、開始位置指定ボタン１ａの押下により指示された開始位置から終了位置指定ボタン１ｂの押下により指示された終了位置までの楽曲部分に対応するバー部分８ａが、表示色が変えられるなどによって強調表示されるとともに、コメント入力欄３が表示され、ユーザはコメントを入力することができる。
【００６３】
ユーザがコメント入力欄３にコメントを入力すると、音楽再生装置１０のＣＰＵ１１は、ユーザが指示した部分の当該楽曲中におけるタイミング位置を示す部分タイミング位置情報と、その部分に対するコメントを示すコメント情報とからなる、図２に示した部分メタ情報Ｍ１〜Ｍ７と同様の構造のユーザ部分メタ情報を生成する。
【００６４】
ユーザが以上の指示および入力を繰り返すことによって、同じ楽曲につき複数のユーザ部分メタ情報が生成されるようにすることもできる。
【００６５】
このユーザ部分メタ情報の利用方法としては、次の第１または第２の方法を用いることができる。
【００６６】
第１の方法では、以上のように音楽再生装置１０で生成されたユーザ部分メタ情報を配信サーバ２００に送信する。
【００６７】
配信サーバ２００側では、そのユーザ部分メタ情報が適切であると考える場合には、そのユーザ部分メタ情報を、当該楽曲の時系列メタ情報に部分メタ情報として追加し、または時系列メタ情報中の既存の部分メタ情報と入れ換える。
【００６８】
これによって、配信サーバ２００から各ユーザに送信する時系列メタ情報に各ユーザの声（当該楽曲の各部に対する各ユーザの評価や感想）を反映させることができ、音楽を媒介としたコミュニティを構築することができる。
【００６９】
この場合、ユーザ部分メタ情報に送信または受信の日付や日時を付加することによって、配信サーバ２００側では、週や月ごとなど、一定期間ごとに、当該楽曲の時系列メタ情報を更新するようにしてもよい。
【００７０】
第２の方法では、上記（ｂ）または上記（ｄ）のように時系列メタ情報が記憶装置部２１に記録されている場合に、音楽再生装置１０において、生成されたユーザ部分メタ情報を、当該楽曲の時系列メタ情報に部分メタ情報として追加し、または時系列メタ情報中の既存の部分メタ情報と入れ換える。
【００７１】
これによって、ユーザは、時系列メタ情報中の一部または全部の部分メタ情報を、自身が感じたものに作り変えることができる。
【図面の簡単な説明】
【００７２】
【図１】この発明の音楽再生システムの一例を示す図である。
【図２】時系列メタ情報の一例を示す図である。
【図３】コメント表示の一例を示す図である。
【図４】コメント表示の一例を示す図である。
【図５】コメント表示の一例を示す図である。
【図６】楽曲再生およびコメント表示に係る一連の処理の一例の一部を示す図である。
【図７】楽曲再生およびコメント表示に係る一連の処理の一例の一部を示す図である。
【図８】ユーザによる部分指示方法の一例を示す図である。
【図９】ユーザによるコメント入力方法の一例を示す図である。
【符号の説明】
【００７３】
主要部については図中に全て記述したので、ここでは省略する。
【図１】
2008004134.tif 000003
【図２】
2008004134.tif 000004
【図３】
2008004134.tif 000005
【図４】
2008004134.tif 000006
【図５】
2008004134.tif 000007
【図６】
2008004134.tif 000008
【図７】
2008004134.tif 000009
【図８】
2008004134.tif 000010
【図９】
2008004134.tif 000011